(57)【特許請求の範囲】
【請求項１】
固定する器具に設けられた第１の係止部に係合するように、固設あるいは移動可能に筒状のケ−ス外壁部に設けられたフック形の第２の係止部と、前記ケ−スの内部に配置され前記ケ−スの一端部側から突出可能なピストンと、前記ケ−スの内部に配置され前記ピストンを前記ケ−スの一端部側から突出する方向に付勢する付勢手段と、前記ケ−スの両端に各々設けられ前記ピストンあるいは前記付勢手段の脱落を防止する脱落防止手段とを備え、前記第１の係止部と前記第２の係止部に前記付勢手段の付勢を伴った係合をし、この係合のみにより前記器具に係止されることを特徴とする器具固定具。
【請求項２】
第２の係止部は、第１の係止部との係合を案内する案内手段を備えたことを特徴とする請求項１記載の器具固定具。
【請求項３】
固定する器具に設けられた第１の係止部に係合するように、固設あるいは移動可能に筒状のケ−ス外壁部に設けられた第２の係止部と、前記ケ−スの内部に配置され前記ケ−スの一端部側から突出可能なピストンと、前記ケ−スの内部に配置され前記ピストンを前記ケ−スの一端部側から突出する方向に付勢する付勢手段と、前記ケ−スの両端に各々設けられ前記ピストンあるいは前記付勢手段の脱落を防止する脱落防止手段とを備え、前記第１の係止部と前記第２の係止部に前記付勢手段の付勢を伴った係合をし、前記器具に係止されることを特徴とする器具固定具において、前記第２の係止部とピストンとを一体的に構成すると共に両者は一体的に移動可能であることを特徴とする器具固定具。
【請求項４】
ケ−ス外壁に固設された突出部を更に備えたことを特徴とする請求項３記載の器具固定具。
【請求項５】
盤状部材に係合するための第３の係止部を有する固定する器具に設けられた第１の係止部と係合するように、固設あるいは移動可能に筒状のケ−ス外壁部に設けられた第２の係止部と、前記ケ−スの内部に配置され前記ケ−スの一端部側から突出可能なピストンと、前記ケ−スの内部に配置され前記ピストンを前記ケ−スの一端部側から突出する方向に付勢する付勢手段と、前記ケ−スの両端に各々設けられ前記ピストンあるいは前記付勢手段の脱落を防止する脱落防止手段とを有する器具固定具を備え、前記器具固定具は前記第１の係止部と前記第２の係止部に前記付勢手段の付勢を伴った係合をし、この係合のみにより前記器具に係止されることを特徴とする器具固定システム。
【請求項６】
固定する器具に対して対称的な位置に、第３の係止部と単一の器具固定具を設置したことを特徴とする請求項５記載の器具固定システム。
【発明の詳細な説明】
【０００１】
【発明の属する技術分野】
この発明は、例えば配電盤に取り付ける器具の器具固定具及び器具固定システムに関するものである。
【０００２】
【従来の技術】
図１９、図２０は従来の器具の取り付けを示す図で、図１９は正面図、図２０は右側面図である。図において１００は配電盤、１０１は配電盤に取り付けられる器具、１０２は器具１０１の表面、１０３は表面１０２の裏面に設けられたネジ、１０４はネジ１０３に螺合するナット、１０５は配電盤１００に開けられた器具取り付け穴、１０６は器具取り付け用ネジ穴である。
【０００３】
器具１０１は、配電盤１００に開けられた器具取り付け穴１０５と器具取り付け用ネジ穴１０６に、配電盤１００の表面から挿入される。
器具１０１の表面１０２は、器具取り付け穴１０５より大きくなっているため、配電盤１００の表面には器具１０１の表面１０２の裏側が配電盤１００の表面にあたり静止する。
この状態で、ネジ穴１０６に挿入されたネジ１０３に対して、ナット１０４により締め付けを行うと、器具１０１の表面１０２とナット１０４により配電盤１００をはさみこみ、器具１０１の固定は完了する。
【０００４】
【発明が解決しようとする課題】
この様に構成された器具の固定方法では、配電盤への穴加工が、器具取り付け用と、器具取り付け用ネジ穴とそれぞれ必要になる。
【０００５】
さらにお互いの穴の位置に対して精度も必要となり、加工に時間がかかる。
【０００６】
また、ナットによる固定ネジの締め付けに、工具が必要となり、器具固定作業に時間がかかる。
【０００７】
更に、振動などにより、ネジの緩みが発生するといった可能性がある。
【０００８】
この発明は上述のような課題を解決するために為されたものであって、器具取り付け用ネジ穴が不要で簡単に器具を確実に固定できる器具固定具及び器具固定システムを提供することを目的としている。
【０００９】
【発明を解決するための手段】
この発明にかかる器具固定具は、筒状のケース外壁部に固設あるいは移動可能に設けられ固定すべき器具に設けられた係止部と係合する係止部と、ケースの内部に配置されケースの一端部側から突出可能なピストンと、ケースの内部に配置されピストンをケースの一端部側から突出する方向に付勢する付勢手段と、ケースの両端に各々設けられピストンあるいは付勢手段の脱落を防止する脱落防止手段とを備えたものである。
【００１０】
また、この発明にかかる器具固定具においては、係止部は、器具に設けられた係止部との係合を案内する案内手段を備えたものである。
【００１１】
また、この発明にかかる器具固定具は、係止部とピストンとを一体的に構成すると共に両者は一体的に移動可能であるものである。
【００１２】
また、この発明にかかる器具固定具は、ケース外壁に固設された突出部を備えたものである。
【００１３】
また、この発明にかかる器具固定システムは、取り付けられるべき盤状部材と係合するための係止部と器具固定具の係止部と係合するための係止部とを有する器具と、筒状のケース外壁部に固設あるいは移動可能に設けられ器具に設けられた係止部と係合する係止部と、ケースの内部に配置されケースの一端部側から突出可能なピストンと、ケースの内部に配置されピストンをケースの一端部側から突出する方向に付勢する付勢手段と、ケースの両端に各々設けられピストンあるいは付勢手段の脱落を防止する脱落防止手段とを備えたものである。
【００１４】
また、この発明にかかる器具固定システムは、取り付けられるべき盤状部材と係合するための係止部と対称的な位置に単一の器具固定具を設置したものである。
【００１５】
【発明の実施の形態】
実施の形態１．
以下、実施の形態１について図を参照して説明する。
図１は器具を配電盤に取り付けた正面図、図２は図１の右側面図、図３は図１の平面図である。図において１は盤状部材としての配電盤、２は配電盤１に開けられた器具取り付け穴、３は器具、４は器具３の表面、５は後述する固定用アダプタ６と係合するための係止部としての穴である。この穴は器具３の両側面に予め開けられている。
穴５の構造は、固定用アダプタ６の後述するフックが挿入可能な大きさの穴５Ａと、フックに付いているレールが挿入される穴５Ｂの、大小の２つの長方形の組み合わさった構成をしている。
【００１６】
図４は器具固定具としての固定用アダプタを示す右側面図、図５は固定用アダプタの背面図である。６Ａは筒状のケース、６Ｂはケース６Ａ内部に配置されたピストン６Ｃと付勢手段としてのバネ６Ｄとの脱落を防止する脱落防止手段としてのフタ、６Ｅはケース６Ａの外壁に固設された係止部としてのフック、６Ｆはフック６Ｅに設けられた案内手段としてのレールである。
バネ６Ｄは、ピストン６Ｃを図示左方向に付勢するように作用している。
【００１７】
図６乃至図８は固定用アダプタ６を器具３に引っ掛ける手順について説明した図である。
まず、図６に示す様に、固定用アダプタ６のピストン６Ｃを配電盤１に当接させ図示左方向に押し付ける。その状態で、図７に示すように固定用アダプタ６を器具３の側面の穴５に向けてスライドさせ、固定用アダプタ６のフック６Ｅを穴５Ａに挿入する。ここで、配電盤１方向（図示左方向）への押え付けをやめると、バネ６Ｄの伸張力により反対方向（図示右方向）への力が加わる。これにより、固定用アダプタ６は、フック６Ｅに付いているレール６Ｆが、器具３の取りつけ用の穴５Ｂに沿って右方向にスライドする。これにより、固定用アダプタ６は器具３と接触し、器具３を裏面方向（図示右方向）に押す力が働く。この力により、固定用アダプタ６のフック６Ｅが器具３を図示右方向に押すことになり、器具３の表面４が配電盤１と接触し器具３を固定する構造となる。
固定用アダプタ６は器具３の両側面に配置されており、本説明では右側面について説明したが、左側面についても同様な機能を有する。従って、器具３は、器具の両側面の各１箇所の穴に接続された固定用アダプタ６により、器具３の表面と、固定用アダプタのピストン６Ｃにより、配電盤１を挟み込み、器具３を固定することができる。
【００１８】
よって、実施の形態１によれば、固定用アダプタ６を器具３に取りつける時、器具３の穴に固定用アダプタ６のフック６Ｅを引っ掛けるだけである為、特別な工具は不要となる。よって作業時間が短縮される。
【００１９】
また、配電盤１の器具取りつけ用の穴をあける作業も、器具１つに対して１個所で済む。このため工程が簡単になると共に、器具取り付け用穴と器具取り付け用ネジ穴との穴あけ精度も不要となる。
【００２０】
さらに、ネジを使っていない為、ネジの緩みが発生しない効果を得られる。
【００２１】
またレールを用いてフックを器具の小さな穴に案内しているので、小さな穴にフックを容易に案内することができる。
【００２２】
なお、実施の形態１では固定用アダプタのケースの形状を円筒形としたが、器具の側面形状に合わせて、例えば角筒状、あるいはカマボコ状等にしても良い。
【００２３】
また実施の形態１では係止部として、器具側には穴、固定用アダプタ側にはフックを用意したが、これとは逆にして器具側にフック、固定用アダプタ側に穴を用意しても良い。
【００２４】
実施の形態例１では、器具３の両側面に各１個ずつの固定用アダプタ６を計２個取りつけて、器具３を固定しているが、２個以上であれば、何個使用してもよい。
例えば図９に固定用アダプタ６を４個使用して、配電盤１に固定した正面図を示す。この場合、固定用アダプタを２個使用した場合よりも、さらに安定して器具３を固定する効果が得られる。
【００２５】
また図１０に示す様に、側面に限らず、上面、下面に取りつけても同等の効果を得られる。
【００２６】
実施の形態２．
実施の形態１では固定用アダプタ６の構成において、フック６Ｅはケース６Ａに固設するようにした。これに対し実施の形態２はフック６Ｅが、筒状のケース外壁部に移動可能に設けられたものである。
図１１は実施の形態２で用いられる固定用アダプタの左側面図を示している。図に示す様に、円筒形のケース７Ａの両端には脱落防止部材としてのフタ７Ｂが設けられている。このケース７Ａの中にはピストン７Ｃとバネ７Ｄが収まっている。このバネ７Ｄの一方は円筒形のケースのフタ７Ｂと接触しており、他方はピストン７Ｃと接触する様に配置されている。ピストン７Ｃとフック７Ｅは一体化して構成されており、ピストン７Ｃが左右に動作するに合わせて、フック７Ｅもケース７Ａの外壁部を左右に動作する構成となる。フック７Ｅはレール７Ｆを持ち、レール７Ｅにより器具３の穴５Ｂに案内される。
【００２７】
この様な構成である為、器具３に固定用アダプタ７を取りつける時は、図１２に示す様に、固定用アダプタ７のピストン７Ｃを、指で押え付けてバネ７Ｄを縮ませる。この状態で、図１３に示す如く、固定用アダプタ７のフック７Ｅを器具３の穴５Ａに挿入する。この後、図１４に示す如く、ピストン７Ｃを押え付けていた指を離すと、バネ７Ｄの伸張力で、固定用アダプタ７のケース７Ａのフタ７Ｂが配電盤１と接触し、その反作用により、固定用アダプタ７のフック７Ｅが、器具３の穴５Ｂにスライド式に挿入され、器具３を裏面方向（図示右方向）に押す力が働く。
この力により、固定用アダプタ７のフック７Ｅが器具３を右方向に押すことになり、器具３の表面４が配電盤１と接触し器具３を固定する構造となる。
【００２８】
従って実施の形態１の固定用アダプタを使用する時は、配電盤１に対して押え付ける動作が必要となるため、押さえつけ方が不慣れな場合、手がすべるなどした場合、固定用アダプタが思わぬ方向へ飛び出す可能性がある。
しかしながら実施の形態２の固定用アダプタを使用すれば、配電盤１に対して固定用アダプタを押え付ける動作が不要となるため、固定用アダプタが滑って飛び出す可能性はなくなる効果を得られる。
【００２９】
実施の形態３．
実施の形態３は実施の形態２の固定用アダプタを変形した例を示すものであって、図１５は実施の形態３の固定用アダプタの左側面図、図１６は実施の形態３の正面図を示している。
図において７Ｇはケース７Ａの外壁部に固設された突出部としての指フックである。
実施の形態３の固定用アダプタを使用する場合、親指でピストン７Ｃを押え付ける際に、人差し指と中指を指フック７Ｇに引っ掛けることにより、簡単にピストンの押え付けが可能となり、容易に器具３を固定することができ、作業時間の短縮となる効果を得る。
【００３０】
実施の形態４．
実施に形態１乃至３では、器具３の固定に、固定用アダプタを２個以上使用して取り付けを行ったが、１個でも器具３の固定が可能となる器具固定システムを示す。
図１７は実施の形態４の器具固定システムの正面図、図１８は図器具固定システムの右側面図である。図において８は器具３に設けられた配電盤固定用フックで、取り付けられるべき盤状部材と係合するための係止部を構成している。
この様に、器具３が一体化した配電盤固定用フック８付き構造の場合、配電盤固定用フック８と反対面（図１７では下面）に固定用アダプタ６を取りつければ、器具３を、配電盤１に固定することが可能となり、固定用アダプタ使用個数も減少させることができ、原低効果を得ることができる。
【００３１】
更に図１７に示すように、配電盤固定用フック８と対称的な位置に固定用アダプタ６を取りつければ、固定用アダプタ１個で器具３を配電盤１に固定することが可能となり、アダプタ使用個数も減少させることができ、原低効果を得ることができる。
【００３２】
なお、固定用アダプタのケースの材料は、プラスチックモールドが望ましいが、これに限らず、樹脂、金属、例えば鉄板などでもよい。
【００３３】
固定用アダプタは、付勢手段としてバネの伸張力を利用したものであるが、バネに限らず、弾性力のあるものであれば良い。
【００３４】
上述の実施の形態では配電盤への器具の取り付けについて説明したが、本発明は配電盤への器具の取り付けに限定するものではなく、器具の固定方法すべてに関連するものであり、本発明の精神の中で様々な変更が可能である。
【００３５】
【発明の効果】
以上のようにこの発明にかかる器具固定具によれば、筒状のケース外壁部に固設あるいは移動可能に設けられ固定すべき器具に設けられた係止部と係合する係止部と、ケースの内部に配置されケースの一端部側から突出可能なピストンと、ケースの内部に配置されピストンをケースの一端部側から突出する方向に付勢する付勢手段と、ケースの両端に各々設けられピストンあるいは付勢手段の脱落を防止する脱落防止手段とを備えので、器具固定の工程が簡単で時間短縮をすることができる。
【００３６】
また、この発明にかかる器具固定具によれば、係止部は、器具に設けられた係止部との係合を案内する案内手段を備えたので、器具固定具の係止部を係合するに際し容易に係合させることができる。
【００３７】
また、この発明にかかる器具固定具によれば、係止部とピストンとを一体的に構成すると共に両者は一体的に移動可能であるから、器具固定をより容易に行うことができる。
【００３８】
また、この発明にかかる器具固定具によれば、ケース外壁に固設された突出部を備えたので、不慣れな作業者であっても容易に器具固定を行うことができる。
【００３９】
また、この発明にかかる器具固定システムは、取り付けられるべき盤状部材と係合するための係止部と器具固定具の係止部と係合するための係止部とを有する器具と、筒状のケース外壁部に固設あるいは移動可能に設けられ器具に設けられた係止部と係合する係止部と、ケースの内部に配置されケースの一端部側から突出可能なピストンと、ケースの内部に配置されピストンをケースの一端部側から突出する方向に付勢する付勢手段と、ケースの両端に各々設けられピストンあるいは付勢手段の脱落を防止する脱落防止手段とを備えたので、器具固定の工程が簡単で時間短縮をすることができる。
【００４０】
また、この発明にかかる器具固定システムは、取り付けられるべき盤状部材と係合するための係止部と対称的な位置に単一の器具固定具を設置したので、器具固定具の使用個数を減らすことができる。
【図面の簡単な説明】
【図１】  実施の形態１において器具を配電盤に取り付けた正面図である。
【図２】  実施の形態１において器具を配電盤に取り付けた右側面図である。
【図３】  実施の形態１において器具を配電盤に取り付けた平面図である。
【図４】  実施の形態１の固定用アダプタの構成を示す右側面図である。
【図５】  実施の形態１の固定用アダプタの構成を示す背面図である。
【図６】  実施の形態１において器具を固定する手順を説明する説明図である。
【図７】  実施の形態１において器具を固定する手順を説明する説明図である。
【図８】  実施の形態１において器具を固定する手順を説明する説明図である。
【図９】  実施の形態１において固定用アダプタを多数個使用して固定した例を示す正面図である。
【図１０】  実施の形態１において固定用アダプタを多数個使用して固定した例を示す正面図である。
【図１１】  実施の形態２の固定用アダプタの構成を示す左側面図である。
【図１２】  実施の形態１において器具を固定する手順を説明する説明図である。
【図１３】  実施の形態１において器具を固定する手順を説明する説明図である。
【図１４】  実施の形態１において器具を固定する手順を説明する説明図である。
【図１５】  実施の形態３の固定用アダプタの構成を示す左側面図である。
【図１６】  実施の形態３の固定用アダプタの構成を示す正面図である。
【図１７】  実施の形態４の器具固定システムの構成を示す正面図である。
【図１８】  実施の形態４の器具固定システムの構成を示す右側面図である。
【図１９】  従来の器具取り付けを示す正面図である。
【図２０】  従来の器具取り付けを示す右側面図である。
【符号の説明】
１  配電盤、２  器具取り付け穴、３  器具、４  器具の表面、５  穴
６  固定用アダプタ、６Ａ  ケース、６Ｂ  フタ、６Ｃ  ピストン
６Ｄ  バネ、６Ｅ  フック、６Ｆ  レール、７  固定用アダプタ、７Ａ  ケース７Ｂ  フタ、７Ｃ  ピストン、７Ｄ  バネ、７Ｅ  フック、７Ｆ  レール
７Ｇ  指フック、８  配電盤固定用フック、１００  配電盤、１０１  器具
１０２  器具の表面、１０３  ネジ、１０４  ナット、１０５  器具取り付け穴１０６  器具取り付け用ネジ穴
【図１】
0004045732.tif 000002
【図２】
0004045732.tif 000003
【図３】
0004045732.tif 000004
【図４】
0004045732.tif 000005
【図５】
0004045732.tif 000006
【図６】
0004045732.tif 000007
【図７】
0004045732.tif 000008
【図８】
0004045732.tif 000009
【図９】
0004045732.tif 000010
【図１０】
0004045732.tif 000011
【図１１】
0004045732.tif 000012
【図１２】
0004045732.tif 000013
【図１３】
0004045732.tif 000014
【図１４】
0004045732.tif 000015
【図１５】
0004045732.tif 000016
【図１６】
0004045732.tif 000017
【図１７】
0004045732.tif 000018
【図１８】
0004045732.tif 000019
【図１９】
0004045732.tif 000020
【図２０】
0004045732.tif 000021